(57)【要約】【課題】封書を片手で立てたまま持って、封書端部に簡単にミシン目を入れることができる封書開封器を提供する。【解決手段】封書開封器１は２つの貫通孔８１および８２を持っている。この貫通孔８１，８２にそれぞれ親指と人差し指を入れて、反対側の手で封書を立てた状態で保持し、封書開封器１の下向きにしたガイドレール溝９に封書の上部を差し込む。そして、封書開封器１を封書端部に添わせるようにスライドさせる。封書開封器１のミシン目作成用カッター４の刃先４１が紙送りローラー３の溝３１にはまり込み、回転しながら封書端部にミシン目を形成する。【選択図】図４
2014000709.tif 000002
【特許請求の範囲】
【請求項１】
互いに平行する天板と底板よりなる２枚の平板、および該２枚の平板を繋いでケースを
構成する側板よりなり、上記底板および上記側板の一部にかけて封書の端部を挿入できる
スリット状のガイドレール溝を設けてなるケース、
上記ケースの中に設けられ、上記天板と上記底板を結ぶ２つの軸部材、
上記２つの軸部材の一方の軸部材に回転自在に緩挿された円盤状のミシン目作成用カッタ
ー、および、
上記２つの軸部材の他方の軸部材に回転自在に緩挿され上記ミシン目作成用カッターの外
周の刃先を受け入れる溝を設けた円盤状の受けローラーよりなることを特徴とする封書開
封器。
【請求項２】
上記２つの軸部材の何れか一方または両方が中空円筒体で構成されていることを特徴と
する請求項１に記載の封書開封器。
【請求項３】
上記中空円筒体の内径が少なくとも人の指が挿入できる大きさであることを特徴とする
請求項２に記載の封書開封器。
【請求項４】
上記２つの軸部材のうち何れか一方または両方の軸部材の中空円筒体の両端に接する上
記天板および上記底板の部分を切除して、上記中空円筒体に上記天板と上記底板を貫通す
る貫通孔を形成したことを特徴とする請求項２または請求項３に記載の封書開封器。
【請求項５】
上記２つの軸部材の何れか一方の軸部材の中空円筒体の両端に接する上記天板および上
記底板の部分を切除して、上記中空円筒体に上記天板と上記底板を貫通する貫通孔を形成
するとともに、他方の軸部材の中空円筒体の上端に接する上記天板に開口部を有し上記中
空円筒体の下端が閉鎖されたポケットを設けたことを特徴とする請求項２または請求項３
に記載の封書開封器。
【請求項６】
上記ポケットの開口部を閉鎖する蓋部材を一端に有し、他端に上記中空円筒体の端部に
回転自在に緩挿された回転円筒部を有する揺動部材を設けたことを特徴とする請求項５に
記載の封書開封器。
【請求項７】
上記蓋部材に虫眼鏡のレンズを装着したことを特徴とする請求項６に記載の封書開封器
。
【請求項８】
上記蓋部材に清掃用の布地を取り付けたことを特徴とする請求項６に記載の封書開封器
。
【請求項９】
上記軸部材のポケット内に照明用の光源を取り付けたことを特徴とする請求項５に記載
の封書開封器。
【請求項１０】
上記蓋部材の表面にマグネットを取り付けたことを特徴とする請求項６に記載の封書開
封器。
【請求項１１】
上記軸部材のポケットの裏面に凹部を設け、該凹部にマグネットを取り付けたことを特
徴とする請求項５に記載の封書開封器。
【発明の詳細な説明】
【技術分野】
【０００１】
本発明は、封書を開封するための器具、特に、封書に開封用のミシン目を入れるための器
具に関するものである。
【背景技術】
【０００２】
回転式の連続刃と受けローラーの間に封書の端部を押し込みスライドさせてその端部を切
り落とす封書開封器は既に種々提案されている。
【先行技術文献】
【特許文献】
【０００３】
【特許文献１】実開昭６１−１６６８９９号公報
【特許文献２】特開２０１１−２２４９４８号公報
【発明の概要】
【発明が解決しようとする課題】
【０００４】
上記実開昭６１−１６６８９９号公報および特開２０１１−２２４９４８号公報に開示さ
れている封書開封器は、いずれも回転式の連続刃を用いているので、これで開封された封
書はその端部が切断され切取られる。
【０００５】
ところが、親展や秘密文書などの封書では、秘書等の本人以外の人が封書を完全に開封す
ることは、個人情報や秘密情報の漏洩の恐れがあり好ましくない。そこで、第３者が予め
封書の開封端にミシン目を入れておけば、個人情報や秘密情報の漏洩を防ぎながら、本人
が容易に開封できる利点がある。
【０００６】
また、封書作成者が封書発送前に封書端部にミシン目を入れておけば、封書を受け取った
人が容易に開封することができて便利である。
【課題を解決するための手段】
【０００７】
本発明は、このような要求に応じて封書端部に簡単にミシン目を入れることができる封書
開封器を提供することを目的とする。
【０００８】
本発明は、小型で携帯でき、開封器を手で持った状態で容易に封書端部にミシン目を入れ
ることができる封書開封器を安価に提供することを他の目的とする。
【０００９】
本発明は、虫眼鏡、小物入れ、清掃器具、照明器具等の機能を兼ね備えた封書端部にミシ
ン目を入れることができる封書開封器を安価に提供することを他の目的とする。
【００１０】
上記の目的を達成するために、本発明の封書開封器は、互いに平行する天板と底板よりな
る２枚の平板、および該２枚の平板を繋いでケースを構成する側板よりなり、上記底板お
よび上記側板の一部にかけて封書の端部を挿入できるスリット状のガイドレール溝を設け
てなるケース、上記ケースの中に設けられ、上記天板と上記底板を結ぶ２つの軸部材、上
記２つの軸部材の一方の軸部材に回転自在に緩挿された円盤状のミシン目作成用カッター
、および、上記２つの軸部材の他方の軸部材に回転自在に緩挿され上記ミシン目作成用カ
ッターの外周の刃先を受け入れる溝を設けた円盤状の受けローラーよりなることを特徴と
する。
【００１１】
上記円盤状の受けローラーは、封書の横方向の動きによって回転するようにその表面が摩
擦係数の大きな材質を用いるのが好ましい。そのような材質としては硬質ゴム等が好まし
い。
【００１２】
上記封書開封器のケースに設けられたスリットのガイドレール溝に封書の端部を挿入して
、ミシン目作成用カッターと円盤状の受けローラーとの間にかませて封書を横に滑らせる
と、ミシン目作成用カッターと円盤状の受けローラーは回転し、封書の端部にミシン目を
形成することができる。
【００１３】
この封書開封器をケースに設けられたガイドレール溝が上になるように机の上に置き、封
書の端部を挿入して手で横にずらすと封書の端部にはミシン目を形成することができるが
、封書の底は通常、中の用紙が下まで詰まっているので、そのままの状態で封書開封器に
通すと、中身の用紙にまでミシン目がついてしまう。また、封書を反転して封書の上端が
下になるようにして、封書開封器に挿入する場合も、封書を反転することにより中身が下
にずれて、前記と同様に中身の用紙にもミシン目がついてしまう恐れがある。
【００１４】
本発明では、その欠点をなくすために、封書を上向きに立てたままで、封書開封器でミシ
ン目を形成できるように改良した。
【００１５】
すなわち、本発明では、上記２つの軸部材の何れか一方または両方を中空円筒体で構成し
た。そして、中空円筒体で構成された２つの軸部材のうち何れか一方または両方に、上記
軸部材の中空円筒体の両端に接する天板および底板の部分を切除して、天板から底板に通
じる貫通孔を形成した。
【００１６】
そして、封書開封器の貫通孔に指を入れて、ケースに設けられたガイドレール溝が下にな
るように手で持ち、封書を立てた状態で、封書の上部の端部をガイドレール溝に挿入して
、封書開封器を横に滑らせれば、楽に封書の上端にミシン目を形成することができる。こ
の貫通孔が２個の場合は親指と人差し指をそれぞれの孔にいれて封書開封器を持てばよい
。貫通孔が１個の場合は人差し指又は親指をいれて、手のひらで封書開封器を包み込むよ
うにして持てばよい。
【００１７】
このようにして形成された貫通孔は、次の様に各種の用途に使用することもできる。例え
ば、１つの貫通孔の底を抜かないとポケットが形成できる。小物などを収容するのに便利
である。そのポケットの蓋部材は、他方の軸部材の中空円筒体の端部に回転自在に緩挿さ
れた回転円筒部を有する揺動部材の先端を中空円筒体の開口部の形状に合わせることによ
って形成することができる。
【００１８】
この蓋部材は各種用途に使用することができる。例えば、蓋部材にレンズをはめ込むこと
により虫眼鏡としての用途が生まれる。
【００１９】
この蓋部材に清掃用の布地を取り付ければ、小物の掃除具として用いられる。
また、この蓋部材またはポケットの裏面にマグネットを取り付ければ、この封書開封器を
スチール家具に貼り付けて保管したり、クリップを一時的に取り付けることもできる。
蓋部材の上面にマグネットを取り付けた場合は、この封書開封器をスチール家具等に吸着
させて保管することができるが、この際ガイドレール溝が横向きになるように取り付けて
固定すれば封書を手で持って横方向にスライドさせれば封書の端部にミシン目を形成する
ことができる。
【００２０】
封書開封器のポケットにＬＥＤを取り付け、蓋部材にレンズを嵌めれば照明器具として
用いることができる。
【００２１】
回転円盤状のミシン目作成用カッターとして既製品を使用する場合は、軸部材の形状を
既成のミシン目作成カッターの軸取り付け形状に合わせなければならない。そのために、
２つの軸部材の内、一方だけを中空円筒体の軸部材を使用し、他方を通常の棒状の軸部材
を使用することができる。
【発明の効果】
【００２２】
（１）本発明の封書開封器は、封書の端部を挿入できるスリット状のガイドレール溝を設
けてなるケース内に２つの軸部材を設け、この軸部材の一方に回転自在に緩挿された円盤
状のミシン目作成用カッターと軸部材の他方にミシン目作成用カッターの外周の刃先を受
け入れる溝を設けた円盤状の受けローラーを備えているので、ガイドレール溝に封書の端
部を挿入し、ミシン目作成用カッターと円盤状の受けローラーとの間にかませて封書を横
に滑らせると、封書の端部に封書開封用のミシン目を手動で容易に形成することができ、
またその際、カッターマット等を使用せずにミシン目が形成できる。
【００２３】
（２）本発明の封書開封器は、ミシン目作成用カッターの刃先が密封されたケース内に収
容されているので、直接指に接することがなく、安全である。
【００２４】
（３）本発明の封書開封器は、中空円筒体で構成された軸部材の天板および底板の部分を
切除して貫通孔を形成したので、封書開封器のガイドレール溝が下向きになるようにして
、この貫通孔に指を挿入して封書開封器を保持し、ガイドレール溝に封書の上部を挿入す
れば、封書を上向きにして立てた状態で封書上部にミシン目を形成することができるので
、封書の内容物を傷つけることなくミシン目を形成することができる。
【００２５】
（４）本発明の封書開封器は、貫通孔が２つ設けられ、左右対称に形成されているので、
左右の利き手のいずれにも対応することができる。貫通孔が１つの場合も、人差し指又は
親指のどちらでも入れられるので、持ち方を限定しない。
【００２６】
（５）本発明の封書開封器は、中空円筒体で構成された軸部材の端部に接する天板の部分
を切除して、天板に開口部を有し中空円筒体を凹部とするポケットを設けると共に、この
ポケットの開口部を閉鎖する蓋部材を設けたので、このポケット部をピルケース・錠剤入
れ・芳香剤等の小物入れとして使用することができる。
【００２７】
（６）本発明の封書開封器は、ポケットの開口部を閉鎖する蓋部材にレンズを装着したの
で、虫眼鏡として使用することができる。
【００２８】
（７）本発明の封書開封器は、ポケットの開口部を閉鎖する蓋部材に清掃用の布地を装着
したので、めがね等を拭くための携帯用の掃除具として使用することができる。
【００２９】
（８）本発明の封書開封器は、ポケット内にＬＥＤ等の照明器具を取り付け、蓋部材にレ
ンズを装着したので、携帯用の照明器具として使用することができる。
【００３０】
（９）本発明の封書開封器は、蓋部材またはポケットの裏面にマグネットを装着したので
、この封書開封器をスチール家具に貼り付けて保管することができる。
【発明を実施するための最良の形態】
【００３１】
本発明を実施するための最良の形態を実施例によって説明する。
【実施例１】
【００３２】
図１は、貫通孔が２つ付いた封書開封器の実施例を示すもので、１は封書開封器、６Ａは
上ケース、６Ｂは下ケース、８１、８２は指の入る貫通孔である。
図２は、図1の封書開封器の分解図で、分解された部品は、回転ガイド２，紙送りローラ
ー３，ミシン目作成用カッター４，刃おさえ５、上ケース６Ａ，下ケース６Ｂよりなる。
９は封書端部を送り込むためのスリット状のガイドレール溝である。
【００３３】
図４に示すように、上ケース６Ａには、２つの中空円筒体の軸部材７１，７２が設けられ
ている。下ケース６Ｂには軸部材７１，７２の下部内側に設けた環状切り欠き７１３，７
２３と嵌合する環状突起８３，８４が突設され、さらに上ケース６Ａの上開放端のフラン
ジ部６１の下端に形成された環状突起６２と下ケース６Ｂの上部開放端に形成された環状
嵌合部６３とは嵌合されて、両ケース６Ａ，６Ｂは一体化される。
【００３４】
ミシン目作成用カッター４は回転ガイド２の多角形の固定軸２２に嵌合される。そのため
にミシン目作成用カッター４の内周には固定軸２２と同じ形をした嵌合用の多角形の嵌合
面４２が形成されている。ミシン目作成用カッター４を固定軸２２に嵌めた上に固定軸２
２と同じ形状の多角形の嵌合面５１を有する刃おさえ５を嵌めてミシン目作成用カッター
４を固定する。その結果、ミシン目作成用カッター４は軸部材７１に回転ガイド２を介し
て回転自在に緩装される。
【００３５】
３は紙送り用ローラーで、中空円筒体の軸部材７２に回転自在に緩装されている。外周に
はＶ字形の溝３１が刻設されている。
【００３６】
ミシン目作成用カッター４の刃先４１が紙送り用ローラー３のＶ字状の溝３１内に入り込
むように相互の位置が調整されている。すなわち図５に示すように、ミシン目作成用カッ
ター４はその刃先４１が紙送り用ローラー３の溝３１内に入り込んでいるが、その刃先４
１の先端は溝３１の深さよりは若干浅く、また、刃先４１の切り込み４３の長さよりも紙
送り用ローラー３の外周の位置は短くされている。もしも、紙送り用ローラー３の外周の
位置が切り込み４３の長さよりも長いと、ミシン目は形成されず封書の端部を切り落とし
てしまう。
【００３７】
ガイドレール溝９は下ケース６Ｂの底と側面の一部を切り抜いて形成される。さらに、環
状突起８３側に案内壁９１を環状突起８４側に案内壁９２を立設する。上ケース６Ａには
軸部材７１側に案内壁７１１，軸部材７２側に案内壁７１２を立設する。封書は、対向す
る案内壁９１，９２と案内壁７１１、案内壁７１２の間に形成されるガイドレール溝９を
通って封書開封器の横方向に送り込まれる。この封書開封器の横方向の送り込みを容易に
するために、ガイドレール溝９は図３に示されるように、開放端部９５，９６が開いた双
曲線状に形成されている。
【実施例２】
【００３８】
図６は実施例２の蓋付きの封書開封器を示すものである。この封書開封器は図８に示すよ
うに軸部材７１側の上ケース６Ａ，下ケース６Ｂとも穴が開けられて貫通孔８１が形成さ
れている。しかし、軸部材７２側は上ケース６Ａ、下ケース６Ｂとも軸部材の端部に接す
る部分に穴が開けられているが、中空円筒体の下端７３は閉鎖されている。従って、一方
の軸部材７１には貫通孔８１が形成されているが、他方の軸部材７２には貫通孔が形成さ
れず、ポケット１２が形成されている。
【００３９】
揺動部材１１はカバー部材１１２に蓋部材１１１が嵌め合わされて一体化されている。更
にカバー部材１１２には回転円筒部１１３が突設されていて、この回転円筒部１１３が軸
部材７１の上部の開放端７５に回転自在に嵌め込まれている。軸部材７１の開放端７５に
は外側に向けて嵌合用の環状突起７６が設けられているので、揺動部材１１の脱落を防止
している。このように構成されているので揺動部材１１は図７に示す様に軸部材７１を回
転軸として回動し、ポケット１２に対して蓋部材１１１を開閉することができる。このポ
ケット１２は小物入れとして利用できる。なお、１８はストラップ取り付け環である。
【実施例３】
【００４０】
図９は実施例３のレンズ付きの封書開封器を示すものである。揺動部材１１の先端の蓋部
材１１１の部分をくりぬいてレンズ１３を嵌め込む。揺動部材１１を回動すれば虫眼鏡と
して使用できる。
【実施例４】
【００４１】
図１０は実施例４の清掃用の布とマグネットを取り付けた封書開封器を示すものである。
蓋部材１１１の裏面に清掃用の布片１４を貼り付ける。また、ポケット１２の裏面を窪ま
せそこにマグネット１７を装着する。揺動部材１１を回動してその先端の蓋部材１１１の
裏面に貼り付けた布片１４で眼鏡等を清掃することができる。また、マグネット１７は封
書開封器をスチール家具等に吸い付けて保存するために用いられる。また、クリップ等を
吸い付けて保存するためにも用いられる。
【実施例５】
【００４２】
図１１は実施例５の光源付きの封書開封器を示すものである。ポケット１２の底に照明器
具としてＬＥＤランプ１５とそのボタン電池１６を取り付け、板バネ１５３で両者を接続
する。ポケット１２の裏側に設けた窪み内にスイッチ１９を設ける。板バネよりなる接点
１５４の付勢力に抗してスイッチ１９の突起１９１を押し込むと、ＬＥＤ１５は電池１６
と導通させられて点灯する。ＬＥＤ１５の周囲には反射鏡１５２が設けられ、蓋部材１１
１にはレンズ１３が装着されているので懐中電灯として使用できる。
【実施例６】
【００４３】
図１２、図１３は既製品のミシン目カッターを使用する場合の実施例を示すものである。
上ケース６Ａの内側に回転軸となるパイプ６４が下方に向け突出している。このパイプ６
４に先ずカラー６５を嵌め次に既製品のミシン目作成カッター４Ｂを嵌める。カラー６５
には上面に環状凹溝８７が、下面には六角形凹溝８８が形成されている。上面の環状凹溝
８７は上ケース６Ａの環状突起８５と嵌合し、パイプ６４に対して回転自在に取り付けら
れる。既製のミシン目作成カッター４Ｂは、その回転中心には比較的小さい六角形の取り
付け穴６７が開けられている。止め部材６６にはミシン目作成カッター４Ｂの取り付け穴
６７と同じ形状をした六角形の嵌合突起６８が突設されている。止め部材６６をミシン目
作成カッター４Ｂの下から上に押し上げると、止め部材６６の嵌合突起６８はミシン目作
成カッター４Ｂの取り付け穴６７を貫通してカラー６５下面の六角形凹溝８８に嵌合して
固定される。止め部材６６の下面に環状凹溝８９が形成され、下ケース６Ｂの環状突起８
６と合致しているので、ミシン目作成カッター４Ｂはパイプ６４を回転軸として支承され
る。パイプの先端はスリット６９によって二股に分かれているので、下ケース６Ｂの円形
凹溝９７に押し込まれて固定される。
【００４４】
図１４は本発明の封書開封器の使用法を説明するための図である。実施例１の２つ貫通孔
を持つ封書開封器の場合は、親指１０１と人差し指１０２をそれぞれ1つずつ貫通孔８１
、８２に差し込み、封書１０を立てた状態で、ガイドレール溝９に封書１０の上部を差し
込む。そして、封書１０を左手で掴んで固定して、右手で掴んだ封書開封器１を手前矢印
方向に引くようにスライドさせる。封書開封器のミシン目作成用カッターの刃先４１が封
書１０に食い込み紙送りローラーと共に回転しながらミシン目１０３を形成する。
【００４５】
左利きの人の場合でも、右手で封書を固定し、左手の親指と人差し指で封書開封器を掴み
スライドさせれば、同様にしてミシン目を形成することができる。
【００４６】
なお、実施例２以下に示す貫通孔が１つの封書開封器の場合は、人差し指又は親指を貫通
孔に差し込み、手のひらで封書開封器１を包み込むようにして保持すれば、図１４と同様
な方法で封書の上端にミシン目１０３を形成することができる。
【００４７】
図１５は本発明の封書開封器の他の使用法を説明するための図である。封書開封器１をガ
イドレール溝９が上向きになるように机の上等に置いて左手で固定し、右手で封書１０を
持って封書の下端をガイドレール溝９に差し込んで手前矢印方向に封書１０をスライドさ
せれば、ミシン目作成用カッターが回転してミシン目１０３を作成することができる。し
かし、この場合は、封書の内容物が封書の中で下方に沈んでいる場合は、内容物の下端に
までミシン目を付けてしまう恐れがあるので、下に沈んでいる内容物を予め上に移動させ
た状態で封書開封器に挿入するようにしなければならない。従って、図１４の方法で開封
作業を行うことを推奨する。
【図面の簡単な説明】
【００４８】
【図１】貫通孔が２つ付いた実施例１の封書開封器の斜視図。
【図２】図１の分解図。
【図３】図１の封書開封器の裏面図。
【図４】図１のＡ−Ａ線による縦断面図。
【図５】図４のＢ−Ｂ線による横断面図。
【図６】蓋付きの実施例２の封書開封器の斜視図。
【図７】図６の封書開封器の蓋を開いた状態を示す斜視図。
【図８】図６のＣ−Ｃ線による縦断面図。
【図９】レンズ付きの実施例の縦断面図。
【図１０】布とマグネット付き実施例の縦断面図。
【図１１】照明器具付き実施例の縦断面図。
【図１２】既製品のミシン目作成カッターを使用した実施例の分解図。
【図１３】図１２の実施例の縦断面図。
【図１４】封書開封器の使用例を示す説明図。
【図１５】封書開封器の他の使用例を示す説明図。
【符号の説明】
【００４９】
１  封書開封器
１１  揺動部材
１１１  蓋部材
１１２  カバー部材
１１３  回転円筒部
１２  ポケット
１５  ＬＥＤランプ
２  回転ガイド
３  紙送りローラー
４  ミシン目作成用カッター
５  刃おさえ
６Ａ  上ケース  
６Ｂ  下ケース
７１  軸部材
８１  貫通孔
８２  貫通孔
９  ガイドレール溝
【図１】
2014000709.tif 000003
【図２】
2014000709.tif 000004
【図３】
2014000709.tif 000005
【図４】
2014000709.tif 000006
【図５】
2014000709.tif 000007
【図６】
2014000709.tif 000008
【図７】
2014000709.tif 000009
【図８】
2014000709.tif 000010
【図９】
2014000709.tif 000011
【図１０】
2014000709.tif 000012
【図１１】
2014000709.tif 000013
【図１２】
2014000709.tif 000014
【図１３】
2014000709.tif 000015
【図１４】
2014000709.tif 000016
【図１５】
2014000709.tif 000017